(57)【特許請求の範囲】
【請求項１】
入力された第１の音声信号を音声として再生する受話器と、
前記音声を検出して第２の音声信号に変換して出力する送話器と、
前記受話器及び前記送話器が第１の回線と接続されていない場合に第２の回線から第１の制御信号の着信を検出すると、前記受話器及び前記送話器と前記第２の回線とを接続し、前記第２の回線から前記第１の音声信号を受信して前記受話器に送出するとともに前記第２の音声信号を前記第２の回線に送出する音声回路と、
を備え、
前記音声回路は、
前記受話器及び前記送話器と前記第２の回線とが接続されている場合に前記第１の回線への接続要求が発生した場合には、前記受話器及び前記送話器が接続される回線を前記第２の回線から前記第１の回線へ切り替える、
電話機。
【請求項２】
前記受話器及び前記送話器が前記第１の回線と接続される際には第１の状態となる開閉器をさらに備え、
前記音声回路は、前記開閉器の状態が前記第１の状態以外の状態から前記第１の状態に変化した場合に前記第１の回線への接続要求が発生したと判断する、請求項１に記載された電話機。
【請求項３】
入力された第１の音声信号を音声として再生する受話器と、
前記音声を検出して第２の音声信号に変換して出力する送話器と、
前記受話器及び前記送話器が第１の回線と接続されていない場合に第２の回線から第１の制御信号の着信を検出すると、前記受話器及び前記送話器と前記第２の回線とを接続し、前記第２の回線から前記第１の音声信号を受信して前記受話器に送出するとともに前記第２の音声信号を前記第２の回線に送出する音声回路と、
前記受話器及び前記送話器が前記第１の回線と接続される際には第１の状態となる開閉器を備え、
前記音声回路は、前記開閉器の状態が前記第１の状態以外の状態から前記第１の状態に変化した場合に前記第１の回線への接続要求が発生したと判断する、
電話機。
【請求項４】
前記音声回路は、前記受話器及び前記送話器と前記第２の回線とが接続されている場合に、前記第２の回線から第２の制御信号の着信を検出すると前記受話器及び前記送話器と前記第２の回線との接続を切断する、請求項１乃至３のいずれかに記載された電話機。
【請求項５】
入力された第１の音声信号を音声として再生する受話器と、
前記音声を検出して第２の音声信号に変換して出力する送話器と、
前記受話器及び前記送話器が第１の回線と接続されていない場合に第２の回線から第１の制御信号の着信を検出すると、前記受話器及び前記送話器と前記第２の回線とを接続し、前記第２の回線から前記第１の音声信号を受信して前記受話器に送出するとともに前記第２の音声信号を前記第２の回線に送出する音声回路と、
を備え、
前記音声回路は、前記受話器及び前記送話器と前記第２の回線とが接続されている場合に、前記第２の回線から第２の制御信号の着信を検出すると前記受話器及び前記送話器と前記第２の回線との接続を切断する、
電話機。
【請求項６】
前記音声回路は、
中央処理手段と、応答制御手段と、フック検出制御手段と、変換制御手段と、を備え、
前記応答制御手段は、前記第１及び第２の制御信号の着信を検出して前記中央処理手段に通知し、前記中央処理手段からの指示に基づいて前記第１及び第２の回線と前記フック検出制御手段とを接続し、
前記フック制御手段は、前記開閉器の状態を前記中央処理手段に通知し、前記中央処理手段からの指示に基づいて前記開閉器の状態を制御するとともに前記応答制御手段と前記変換制御手段とを接続し、
前記変換制御手段は、前記中央処理手段からの指示に基づいて前記フック制御手段から入力された前記第１の音声信号を増幅器を用いて増幅して前記受話器へ出力し、前記送話器から入力された前記第２の音声信号を前記フック制御手段へ出力する、
請求項４又は５に記載された電話機。
【請求項７】
前記第２の制御信号は接続先が話中であることを示す話中信号である、請求項４乃至６のいずれかに記載された電話機。
【請求項８】
前記第１の制御信号は電話の着信を示す信号である、請求項１乃至７のいずれかに記載された電話機。
【請求項９】
請求項１乃至８のいずれかに記載された電話機と、
電話機に音声を送出して試験を行うための試験機と、を備え、
前記第２の回線によって前記電話機と前記試験機とが接続されている、
電話機試験システム。
【請求項１０】
入力された第１の音声信号を音声として受話器で再生し、
検出した前記音声を第２の音声信号に送話器で変換して出力し、
前記受話器及び前記送話器が第１の回線と接続されていない場合に第２の回線から第１の制御信号の着信を検出すると、前記受話器及び前記送話器と前記第２の回線とを接続し、
前記第２の回線から受信した前記第１の音声信号を前記受話器に送出し、
前記送話器から出力された前記第２の音声信号を前記第２の回線に送出し、
前記受話器及び前記送話器と前記第２の回線とが接続されている場合に前記第１の回線への接続要求が発生した場合には、前記受話器及び前記送話器が接続される回線を前記第２の回線から前記第１の回線へ切り替える、
電話機の制御方法。
【発明の詳細な説明】
【技術分野】
【０００１】
本発明は、電話機及びその制御方法並びに電話機の試験システムに関する。
【背景技術】
【０００２】
電話機の機能を遠隔から試験するシステムとして、いくつかの構成が提案されている。特許文献１は、電話回線の異常を検出するための検出回路が音声回線に接続される線路監視装置の構成を記載している。特許文献１に記載された線路監視装置は、予め定められた時間間隔で電話機の回線断、地気混線（回線が地気に接続された状態）、電池混線（回線に電源電圧が混入している状態）及び絶縁不良を検出する。
【０００３】
また、特許文献２及び特許文献３は、非常用電話機へ試験用ＰＢ（ｐｕｓｈ  ｂｕｔｔｏｎ）信号を送信し、非常用電話機からのＰＢ信号の応答を受信することにより非常電話機を監視する非常電話機の監視装置を記載している。
【先行技術文献】
【特許文献】
【０００４】
【特許文献１】特開平４−１７２０４９号公報
【特許文献２】特開平１０−１２６５０１号公報
【特許文献３】特開２００９−１７７５４１号公報
【発明の概要】
【発明が解決しようとする課題】
【０００５】
電話機の構成部品のうち送受話器は比較的故障が発生しやすく、電話機の試験の際には送受話器の機能を含め、電話機を実際に利用者が使う状態に近い条件で音声通話試験を行うことが好ましい。しかしながら、特許文献１〜３に記載された構成では、電話機の音声通話確認試験を行うことができない。その理由は、特許文献１に記載された監視装置は、回線の異常を検出するのみであり、電話機内部の音声通話機能の確認を行うことができないからである。また、特許文献２、３に記載された監視装置では、監視対象の電話機の応答は、電話機がその内部に備える電気回路のみにより行われる。このため、特許文献２、３に記載された監視装置では、監視装置からの試験用ＰＢ信号に対する音声回路の応答動作を確認することしかできないからである。
（発明の目的）
本発明は、音声通話機能を含めた電話機の試験を遠隔から容易に行うための技術を提供することを目的とする。
【課題を解決するための手段】
【０００６】
本発明の電話機は、入力された第１の音声信号を音声として再生する受話器と、音声を検出して第２の音声信号に変換して出力する送話器と、受話器及び送話器が第１の回線と接続されていない場合に第２の回線から第１の制御信号の着信を検出すると、受話器及び送話器と第２の回線とを接続し、第２の回線から第１の音声信号を受信して受話器に送出するとともに第２の音声信号を第２の回線に送出する音声回路と、を備える。
【０００７】
本発明の電話機の制御方法は、入力された第１の音声信号を音声として受話器で再生し、検出した音声を第２の音声信号に送話器で変換して出力し、受話器及び送話器が第１の回線と接続されていない場合に第２の回線から第１の制御信号の着信を検出すると、受話器及び送話器と第２の回線とを接続し、第２の回線から受信した第１の音声信号を受話器に送出し、第２の音声信号を第２の回線に送出する。
【発明の効果】
【０００８】
本発明は、音声通話機能を含めた電話機の試験を遠隔から容易に行うことを可能にするという効果を奏する。
【図面の簡単な説明】
【０００９】
【図１】本発明の第１の実施形態である電話機試験システムの構成を示す図である。
【図２】第１の実施形態における、試験モードへの移行から試験完了までの非常電話機の動作フローを示す図である。
【図３】第１の実施形態において、試験実行中に利用者による発信が行われたときの非常電話機の動作フローを示す図である。
【図４】フックスイッチの状態及び試験用回線の呼出信号の検出状態ごとに、非常電話機が運用モードと試験モードとのいずれを取るかを示す図である。
【図５】本発明の第２の実施形態の電話機の構成を示す図である。
【発明を実施するための形態】
【００１０】
以下の実施形態で説明する電話機試験システム及び電話機の概要についてまず説明する。管制室に設置された試験機は、交換網を経由して被試験電話機と接続されている。電話機の試験を行う際には、管制室の試験機は、交換網及び被試験電話機本体にあらかじめ接続されている試験用回線を経由して被試験電話機に対して発呼して、被試験電話機との間で回線を接続する。試験機および被試験電話機が交換網を介して接続されていることにより、試験機は、交換網と接続された全ての被試験電話機との間で回線を接続することができる。
【００１１】
また、被試験電話機は、送受話器がオンフック状態、すなわち利用者が被試験機を使用していないときに試験機から着呼があると、送受話器を擬似的にオフフック状態とする機能を備える。そして、被試験電話機は、試験機からの着呼を検出すると、試験機との回線を接続するとともに被試験電話機の送受話器を擬似的にオフフック状態とする。送受話器を擬似的なオフフック状態とすることにより、被試験電話機の回路は利用者が送受話器を取ってオフフック状態となった場合と同様の状態となる。すなわち、擬似的なオフフック状態では被試験電話機は応答状態あるいは通話状態となる。この場合、試験機から受信した音声信号を送受話器の送話口で再生し、再生された音声を送受話器の受話口で音声信号に変換して試験機へ送信することができる。試験機で受信された音声信号は、音声信号の送受信の遅延量や音声品質などが評価される。
【００１２】
なお、被試験電話機が試験機と接続されていない状態を運用モード、被試験電話機が試験機と接続された状態を試験モードと呼ぶ。運用モードにおいては、一般の利用者は被試験電話機を通常の電話機として使用できる。
【００１３】
また、被試験電話機は、試験モードにおいてフックスイッチがオフフック状態となった場合には、試験モードから運用モードへ切り替える機能を備えていてもよい。この機能により、試験機と被試験電話機との間で回線が接続されて試験が行われている場合でも、一般利用者は、被試験電話機の送受話器をオフフックすることで試験を中断させ、一般利用者による発信及び通話ができるようになる。
【００１４】
以上のような構成により、以下の実施形態で説明する電話機試験システム及び電話機は、被試験電話機の送受話器およびそれに接続された音声回路を含めた被試験電話機全体の正常性の確認を行うことができる。
【００１５】
（第１の実施形態）
本発明の実施の形態について、図面を参照して説明する。図１は本発明の第１の実施形態である電話機試験システム１００の構成を示す図である。第１の実施形態は、本発明の電話機試験システムを非常電話機の試験システムに適用した実施形態である。電話機試験システム１００は、非常電話機５０、センター装置１０、非常電話回線１１ａ、試験用回線１１ｂ、交換回線１１ｃ、交換装置１２及び１３、試験機１４、管制室１５を備える。
【００１６】
本実施形態においては、非常電話機５０は、高速道路上に分散して配置されている非常電話機である。非常電話機５０は、一般にＬ１，Ｌ２と呼ばれる２線式の電話回線である非常電話回線１１ａを経由してセンター装置１０と接続されている。高速道路上でトラブルが発生した際に、利用者は非常電話機５０を用いてセンター装置１０に発呼し、センター装置を操作する担当者と非常の際の連絡を行うことができる。
【００１７】
非常電話機５０には、試験用回線１１ｂも接続されている。試験用回線１１ｂは、非常電話回線１１ａと同様に、Ｌ１、Ｌ２の２線で構成される電話回線である。試験用回線１１ｂは、交換装置１２、１３及び交換装置間の交換回線１１ｃを経由して試験機１４に接続されている。ここで、交換装置１２、１３及び交換装置間の交換回線１１ｃは、一般的な電話交換網である。
【００１８】
非常電話機５０は、中央処理部（ｃｅｎｔｒａｌ  ｐｒｏｃｅｓｓｉｎｇ  ｕｎｉｔ：ＣＰＵ）１、応答制御部２、フック検出制御部３、変換制御部４、送受話器８及びフックスイッチ５を備える。
【００１９】
送受話器８は利用者が非常電話機５０を利用する際に用いる送受話器であり、受話口６及び送話口７を備える。受話口６は例えばスピーカであり、送話口７は例えばマイクロホンである。非常電話機５０に接続されている回線（非常用回線１１ａまたは試験用回線１１ｂ）から受信された音声信号は、受話口６で音声に変換されて外部へ放射される。また、送話口７に入力された音声は送話口７で音声信号に変換されて、非常電話機５０に接続されている回線に対して送信される。
【００２０】
送受話器８は、受話口６が出力した音声を外部の空間を伝搬させて送話口７へ伝達させることが可能なように配置されている。例えば、送話口７及び受話口６の口はいずれも塞がれることなく近接しており、フックスイッチ５が接続されているフック部によって支えられるようにしてもよい。フックスイッチ５は、利用者が非常電話機５０を使用するために送受話器８を手に取るとオフフック状態となり、送受話器８が使用されない場合にはオンフック状態となる。
【００２１】
中央処理部１は、応答制御部２、フック検出制御部３、変換制御部４への動作指示を行い、また、これらの制御部からそれぞれの状態を示す信号を受信する。中央処理部１、応答制御部２、フック検出制御部３、変換制御部４は、１枚の回路基板上に音声回路６０として構成されていてもよい。
【００２２】
応答制御部２は、試験用回線１１ｂからの呼出信号の着信を監視する。呼出信号は、例えば１６Ｈｚのリンギング信号である。応答制御部２は、試験用回線１１ｂからリンギング信号を検出すると、試験用回線１１ｂのＬ１及びＬ２を短絡する。
【００２３】
また、応答制御部２は、試験用回線１１ｂからの話中信号の着信を検出する機能を備える。試験機１４は、試験完了後に非常電話機５０の擬似的なフック状態を復旧させる際には、試験用回線１１ｂを経由して話中信号を被試験電話機に送信する。
【００２４】
フック検出制御部３は、応答制御部２と２線（Ａ１、Ｂ１）にて接続されており、応答制御部２と変換制御部４との間で音声回路を接続する。
送受話器８のフック状態を示すフックスイッチ５の状態を検出する。フック検出制御部３は、送受話器８のフック状態（オンフック状態及びオフフック状態）を、中央処理部１に対して通知する。フックスイッチ５は、送受話器８が上げられてオフフック状態になると短絡され、送受話器８が下ろされてオンフック状態となると開放される。フックスイッチ５は、例えば送受話器８の重量に反応して開閉する単極単投スイッチである。
【００２５】
フック検出制御部３は、中央処理部１から試験モードへ移行するよう指示を受けると、フックスイッチ５がオフフック状態となった場合と同様の状態（以下、「疑似オフフック状態」という。）となる。
【００２６】
変換制御部４は、電話回線の２線−４線の変換を行う。すなわち、変換制御部４は、フック検出制御部３と２線にて接続されており、送受話器８とは４線にて接続されている。なお、電話回線の２線−４線変換を行う回路構成及びその動作はよく知られているので詳細な説明は省略する。
【００２７】
変換制御部４は、試験モード時に受話口６へ出力する音声信号を増幅するアンプを内蔵している。アンプは、非常電話機５０の試験の際に、試験機から受信した音声信号を増幅し、被試験電話機の送受話器の受話口から大音量の音声を送出する。試験機は、試験機が持つ音源データを音声信号に変換して送出してもよいし、管制室１５の作業者が試験機から被試験電話機へ向けて送話した音声を送出してもよい。
【００２８】
また変換制御部４は、試験モード時に、受話口６に接続された終端抵抗を変化させる機能を備えていてもよい。終端抵抗を変化させることでリターンレベルの調整を行うことができるので、非常電話機５０内部で音声信号の反射量を好ましい値に調整することができる。終端抵抗には、外部の信号で抵抗値の制御が可能な可変抵抗器を用いてもよい。そして、例えばアンプの出力に応じて中央処理部１が終端抵抗の値を制御してもよい。
【００２９】
非常電話機５０が試験モードにあるときには、フックスイッチの状態は疑似オフフック状態となる。このため、送受話器８が実際にはオンフック状態であっても、受話口６で再生される音声の一部が送話口７で検出される。そして、送話口７で検出された音声は、非常電話から送話する音声信号として、試験用回線１１ｂに対して送信される。ここで、非常電話機５０が筐体に収容されて設置されていると、筐体内部の反射により受話口６から送話口７へ伝播する音声のエネルギーが大きくなるので、受話口６が発した音声をより大きい音声信号として送話口７で検出することができる。
【００３０】
例えば、高速道路上に非常電話機５０が設置されている場合には、非常電話機５０は鋼板に覆われた小型の筐体内に設置されている。このような環境では非常電話機５０は受話口６が放射した音声は筐体の内部で反響しやすい環境にあり、受話口６から送話口７へ効率よく音声を伝播させることができる。
【００３１】
なお、試験を行う際の試験機１４から送出される音声信号の周波数は、非常電話機５０の周辺の騒音を受けにくいようにするために、３ｋＨｚ程度の比較的高い周波数としてもよい。また、管制室１５に設置された試験機１４は、音声信号の送信及び受信を行うことができる４線式の試験機であってもよい。試験機１４は、試験中は音声信号を試験機１４の送信側の２線から送信する。
【００３２】
（動作の説明）
図２は、第１の実施形態における、試験モードへの移行から試験完了までの非常電話機５０の動作フローを示す図である。図１をも参照しながら、図２のフローについて説明する。
【００３３】
電話機試験システム１００は、試験時以外は運用モードにある。運用モードは、一般の利用者が非常電話機５０を使用するモードである。運用モードでは、応答制御部２は、非常電話回線１１ａ側の回線Ｌ１、Ｌ２がフック検出制御部３に接続されており、試験用回線１１ｂ側の回線Ｌ１、Ｌ２はフック検出制御部３に対しては開放されている（図２のＳ１）。また、フック検出制御部３は、送受話器がオンフック状態であることを中央処理部１に通知している（Ｓ０）。
【００３４】
試験機１４が交換装置の試験用回線１１ｂに向けてダイヤル発呼すると、交換装置１３から非常電話機５０へ呼出信号が送出される。呼出信号は、例えば１６Ｈｚのリンギング信号である。応答制御部２は、その呼出信号を検出すると（Ｓ２）、呼出信号を検出した旨を中央制御部１へ通知する（Ｓ３）。
【００３５】
中央処理部１は、フックスイッチ５がオンフック状態である場合に応答制御部２から試験用回線１１ｂが呼出信号を検出した通知を受けると、非常電話機５０の状態を試験モードとする（Ｓ４）。
【００３６】
なお、非常電話機５０がオフフック状態である場合には、一般の利用者によって非常電話機５０が使用されている可能性が高い。このため、中央処理部１は、非常電話機５０がオフフック状態である場合には、試験用回線１１ｂから呼出信号の着信があっても運用モードから試験モードへの移行を行わない。
【００３７】
非常電話機５０が試験モードに移行すると、中央処理部１は、呼出信号の受信後一定時間が経過すると、応答制御部２に対して、運用モードから試験モードへの移行を指示する。具体的には、中央処理部１は、非常電話回線１１ａを開放し、試験用回線１１ｂの２線Ｌ１、Ｌ２を短絡するとともにＡ１、Ｂ１の２線と接続させる指示を応答制御部２に行う（Ｓ５）。応答制御部２は中央処理部１の指示に従い回線の接続を変更する（Ｓ６）。試験用回線１１ｂが短絡されることで、交換装置１３は非常電話機５０の試験用回線１１ｂが応答したことを確認できるため、交換装置１３は呼出信号の送出を停止する。
【００３８】
また、中央処理部１は、フック検出制御部３及び変換制御部４に対しても、試験モードへの移行を指示する（Ｓ７、Ｓ８）。フック検出制御部３は、中央処理部１から試験モードへ移行するよう指示を受けると、疑似オフフック状態となる（Ｓ９）。
【００３９】
変換制御部４は、中央処理部１からの試験モードへ移行するよう指示を受けると、送受話器８の受話口６と接続されている音声回路に接続された受話口用のアンプを起動する（Ｓ１０）。アンプは受話口６へ出力される音声信号を増幅して、受話口６から外部へ送出される音声の音量を上げる。
【００４０】
非常電話機５０が試験モードへ移行した後、試験機１４は試験用の音声信号を送出する。試験機１４は、試験用回線１１ｂが短絡された結果、非常電話機５０が呼出に応答したことを交換装置１２から通知された後に、音声信号を送出する。この音声信号は、試験用回線１１ｂを通じて、非常電話器５０の送受話器の受話口６に達する。このようにして、試験機１４と非常電話機５０との間で送受話器８を含めた音声の通話試験が行われる（Ｓ１１）。
【００４１】
ここで、非常電話機５０において、呼出音の着信から試験用回線１１ｂが短絡されるまでの間の時間は、非常電話機５０が試験モードに移行するために必要な時間よりやや長い時間としてもよい。呼出音の着信から試験用回線１１ｂが短絡されるまでの間の時間をこのように定めることにより、試験機による試験が、非常電話機５０の試験モードへの移行後に行われることになる。例えば、当該時間を５秒としてもよい。
【００４２】
試験機は、非常電話機５０から受信した音声信号のレベル、音質、遅延等を評価することで試験を終了する。試験機は、試験の際に５秒程度以上の音声信号を送信してもよい。
【００４３】
試験の終了後には、試験機１４において回線切断操作が行われる。試験機１４は、試験用回線１１ｂを通じて非常電話機５０へ話中信号を送出する。応答制御部２は、試験用回線１１ｂにおいて話中信号を検出すると、話中信号を検出した旨を中央処理部１に通知する（Ｓ１２、Ｓ１３）。中央処理部１は、試験用回線１１ｂにおいて話中信号を検出した通知を応答制御部２から受けると、非常電話機５０の状態を運用モードとする（Ｓ１４）。そして、中央処理部１は、応答制御部２、フック検出制御部３及び変換制御部４に対して試験モードから運用モードへの移行を指示する（Ｓ１５、Ｓ１７、Ｓ１９）。応答制御部２は、運用モードへの移行指示を受けると、試験用回線１１ｂを開放して、Ａ１、Ｂ１の２線を非常電話回線１１ａのＬ１，Ｌ２と接続させる（Ｓ１６）。また、フック検出制御部３は、運用モードへの移行指示を中央処理部１から受けると、フックスイッチ５の疑似オフフック状態を解除して試験前の状態であるオンフック状態に移行する（Ｓ１８）。さらに、変換制御部４は、運用モードへの移行指示を中央処理部１から受けると、受話口用のアンプの動作を停止してもよい（Ｓ２０）。これにより、非常電話機５０は、試験モードから運用モードに変更される。
【００４４】
図３は、第１の実施形態において、試験実行中に利用者による発信が行われたときの非常電話機５０の動作フローを示す図である。図３においては、試験用回線１１ｂへの呼出信号の着信により非常電話機５０が試験モードに移行して試験が行われているとする（Ｓ２１）。図３において、試験の実行（Ｓ２１）までの手順は図２のＳ１１までの各ステップと同様である。利用者が非常電話機５０の送受話器８を上げると、フックスイッチ５がオフフック状態となったことがフック検出制御部３で検出される（Ｓ２２）。そして、フック検出制御部３は中央処理部１に対してフックスイッチ５がオフフック状態となったことを通知する（Ｓ２３）。
【００４５】
中央処理部１は、フック検出制御部３からフックスイッチ５がオフフック状態となった通知を受信すると、非常電話機５０の状態を運用モードとする（Ｓ２４）。
【００４６】
応答制御部２は、中央処理部１から運用モードへの移行指示を受けると（Ｓ２５）、試験用回線１１ｂを開放するとともに、非常電話回線１１ａをＡ１、Ｂ１に接続する。非常電話回線１１ａがＡ１，Ｂ１に接続されると、フックスイッチ５がオフフック状態であるので、応答制御部２は非常電話回線１１ａ側のＬ１、Ｌ２を短絡し、非常電話回線１１ａを通じて接続されているセンター装置１０に対して、通常の電話の発呼動作が行われる（Ｓ２６）。
【００４７】
また、中央処理部１は、フック検出制御部３及び変換制御部４に対しても試験モードから運用モードへの移行を指示する（Ｓ２７、Ｓ２９）。フック検出制御部３は、運用モードへの移行指示を受けると、フックスイッチ５の疑似オフフック状態を解消する（Ｓ３０）。図３においては、利用者が送受話器８を上げているので、フックスイッチ５はオフフック状態となる。さらに、変換制御部４は、運用モードへの移行指示を受けると、受話口用のアンプの動作を停止してもよい（Ｓ２８）。以上の動作により、試験実施中であっても利用者が送受話器８を取ることで利用者はセンター装置と通話することが可能となる（Ｓ３１）。
【００４８】
以上説明したように、第１の実施形態の電話機試験システム１００は、試験の際には非常電話機５０のフックスイッチ５を擬似的なオフフック状態とする試験モードへ移行させる。そして、試験モードにおいては、送受話器８がオンフック状態であっても、試験機１４と非常電話機５０の送受話器８との間で通話路が形成される。その結果、試験機１４は、非常電話機５０に対して送出した試験用の音声信号を送受話器８で折り返して受信することができる。その結果、試験機１４は、非常電話機５０との間の通話の正常性を遠隔から確認することができる。すなわち、第１の実施形態の電話機試験システム１００においては、非常電話機５０が高速道路上に点在して設置されている場合でも、送受話器８を含む機能試験を実施するために作業者が各非常電話機の設置場所に赴く必要がない。
【００４９】
また非常電話機５０は、試験の実施中にフックスイッチ５のオフフック状態を検出すると、強制的に試験用回線を切り離して、非常電話機５０を非常電話回線に接続することが可能である。その結果、電話機試験システム１００は、試験の実施により利用者の通話を妨げることがない。
【００５０】
なお、試験機が送出する音声をあらかじめ用意し、所定の時刻になると自動的に試験機が複数の非常電話機５０に対して順に発呼して試験を行うように試験機を構成してもよい。このような構成により、試験機１４は、多数の非常電話機５０と順次自動的に接続して試験を行うことができる。
【００５１】
図４は、フックスイッチ５のフック状態及び試験用回線１１ｂの呼出信号の検出状態ごとに、非常電話機５０が運用モードと試験モードとのいずれとなるかを示す図である。図４に示すように、フック検出制御部３においてオフフックスイッチ５のオフフックが未検出の状態では、応答制御部２において試験用回線１１ｂからの呼出信号を検出した後、話中信号を受信するまでの間は試験モードとなる。この場合には、フックスイッチ５は疑似オフフック状態となり、試験機１４から送信された音声信号が非常電話機５０の送受話器８で折り返され、試験機１４で受信される。
【００５２】
一方、応答制御部２において試験用回線１１ｂの状態が上記以外、すなわち試験用回線１１ｂからの話中信号を検出以降、呼出信号を検出するまでの間は、通話試験は行われていないことになる。従って、この期間では非常電話機５０はフックスイッチ５の状態に関わらず運用モードとなり、利用者は非常電話機５０を使用してセンター装置１０と通話できる。また、図３で説明したように、試験モード、すなわち応答制御部２において試験用回線１１ｂからの呼出信号を検出した後話中信号を受信するまでの間であっても、フックスイッチ５がオフフック状態となった場合は、非常電話機５０は運用モードに遷移する。これは、利用者が非常電話機５０を使用するために送受話器８を取った場合に相当する。この遷移により、通話試験中であっても利用者は非常電話を使用することが可能となる。
【００５３】
以上説明したように、第１の実施形態の電話機試験システムは、音声通話機能を含めた電話機の試験を遠隔から容易に行うことを可能にするという効果を奏する。すなわち、第１の実施形態の電話機試験システムは、非常電話機本体の送受話器までの動作確認が管制室の試験機から可能となるため、非常電話機の動作確認のために要する費用及び時間が削減される。
【００５４】
第１の実施形態の電話機試験システム１００は、さらに、非常電話機本体の故障を早期に発見して非常電話システム全体の信頼性の向上が図れるという効果も奏する。その理由は、管制室の試験機を用いて、時間的な制約を受けずに自動的に試験を繰り返し行うことで、電話機の故障の早期発見、早期対処が可能となるからである。
【００５５】
第１の実施形態の電話機試験システム１００は、上記の効果を得るための試験に際して、利用者の通話を妨げないという効果も奏する。その理由は、非常電話機が試験モードにあるときに利用者が送受話器を上げた場合には、非常電話機が送受話器のフックスイッチの動作を検出して試験モードから運用モードに移行することで、利用者による非常電話の発信が可能となるからである。
【００５６】
（第２の実施形態）
続いて、本発明の第２の実施形態について説明する。図５は、本発明の第２の実施形態の電話機２００の構成を示す図である。電話機２００は、受話器２０１と、送話器２０２と、音声回路２０３と、を備える。受話器２０１は、入力された第１の音声信号を音声として再生する。送話器２０２は、受話器で再生された音声を検出し、検出した音声を第２の音声信号に変換する。音声回路２０３は、第１の回線２０４あるいは第２の回線２０５のいずれかと電話機２００とを接続する。
【００５７】
電話機２００は、通常の通話に供する第１の回線２０４に加えて、電話機の試験に用いる第２の回線２０５を接続可能に構成される。電話機２００が通常の通話に使用されていない場合、すなわち受話器２０１及び送話器２０２が第１の回線２０４と接続されていない場合には、第２の回線２０５を用いて電話機２００の試験を行うことができる。
【００５８】
電話機２００が通常の通話に使用されていない場合、音声回路２００は、試験用の第２の回線２０５から第１の制御信号の着信を検出すると、受話器２０１及び送話器２０２と第２の回線２０５とを接続する。第１の制御信号は、例えば着呼を示す呼出信号である１６Ｈｚのリンギング信号でもよい。
【００５９】
一方、電話機２００が通常の通話に使用されている場合には、音声回路２０３は、試験用の第２の回線２０５から第１の制御信号の着信を検出しても、受話器２０１及び送話器２０２と第２の回線２０５とを接続しない。
【００６０】
電話機２００が第２の回線２０５と接続されると、音声回路２０３は、第２の回線２０５から受信した第１の音声信号を受話器２０１で再生する。第１の音声信号は、電話機２００の試験のために用いられる試験機（図示せず）が送出してもよい。
【００６１】
また、音声回路２０３は、送話器２０２が出力する第２の音声信号を第２の回線２０５に送出する。
【００６２】
このような構成により、電話機２００は、試験のための第２の回線２０５から受信した第１の音声信号を、電話機２００の受話器２０１で再生し、再生された音声を送話器２０２によって第２の音声信号として第２の回線２０５に送信することができる。従って、第２の回線に試験機を接続し、試験機が送出した第１の音声信号が第２の音声信号として戻ることを試験機において確認し、さらに第２の音声信号の品質を評価することで、電話機２００の受話器２０１及び送話器２０２を含めた機能試験を実施することができる。
【００６３】
さらに、電話機２００と第２の回線２０５との接続は、電話機２００が通常の通話に使用されていない場合にのみ行われる。従って、第２の実施形態の電話機２００は、一般のユーザの利便性を損なうことなく、遠隔からの機能試験を実施することができる。
【００６４】
以上、実施形態を参照して本願発明を説明したが、本願発明は上記実施形態に限定されるものではない。本願発明の構成や詳細には、本願発明のスコープ内で当業者が理解し得る様々な変更をすることができる。
【産業上の利用可能性】
【００６５】
本発明の活用例として、高速道路用の非常電話システムがある。
【符号の説明】
【００６６】
１  中央処理部
２  応答制御部
３  フック検出制御部
４  変換制御部
５  フックスイッチ
６  受話口
７  送話口
８  送受話器
１０  センター装置
１１ａ  非常電話回線
１１ｂ  試験用回線
１１ｃ  交換回線
１２、１３  交換装置
１４  試験機
１５  管制室
５０  非常電話機
６０、２０３  音声回路
１００  電話機試験システム
２００  電話機
２０１  受話器
２０２  送話器
２０４  第１の回線
２０５  第２の回線
【図１】
0005559226.tif 000002
【図２】
0005559226.tif 000003
【図３】
0005559226.tif 000004
【図４】
0005559226.tif 000005
【図５】
0005559226.tif 000006